(57)【要約】【課題】人眼にコンタクトレンズを装用させた状態において、人眼の網膜上に遠用、及び近用の二焦点が形成されるように設計された累進多焦点コンタクトレンズを得ることを目的とする。【解決手段】中心から、遠用部３、移行部４、近用部５、及び近用補助部６が同心円状に配置されたレンズ光学部２を有する累進多焦点コンタクトレンズ１を構成する。遠用部３は、レンズ光学部２中心に配置され、遠方をみるための領域である。移行部４は、遠用部の外周に配置され、遠用部３の度数から連続して増加する度数分布を有する。近用部５は、移行部４の外周に配置され、近方を見るための領域である。近用補助部６は、近用部５の外周に配置され、近用部５の度数から連続して減少する度数分布を有し、近用の像を明瞭に得るために設けられる。近用補助部６が形成されることにより、近用の像を明瞭に得ることができる。【選択図】図３
2012093522.tif 000002
【特許請求の範囲】
【請求項１】
度数の異なる領域が同心円状に配置されたレンズ光学部を有する累進多焦点コンタクトレンズにおいて、前記レンズ光学部は、
前記レンズ光学部中心に配置された、遠方を見るための遠用部と、
前記遠用部の外周に配置され、前記遠用部の度数から連続して増加する度数分布を有する移行部と、
前記移行部の外周に配置された、近方を見るための近用部と、
前記近用部の外周に配置され、前記近用部の度数から連続して減少する度数分布を有する近用補助部とを備え、
前記近用補助部は、近用の像を明瞭に得るために設けられている
ことを特徴とする累進多焦点コンタクトレンズ。
【請求項２】
遠用及び近用の二つの焦点について網膜面上における球面収差の変化量が低減されている
請求項１に記載の累進多焦点コンタクトレンズ。
【請求項３】
前記近用補助部は、前記近用部の外周に配置され、前記近用部から前記近用部の半径外方向に向かって度数を連続して減少させる第１領域を有すると共に、前記第１領域の外周に配置され、前記第１領域で減少した度数を再度増加させる第２領域とで構成されている
請求項１又は２に記載の累進多焦点コンタクトレンズ。
【請求項４】
前記遠用部は、直径０．５〜３ｍｍの範囲で形成され、前記移行部は、幅０．５〜２．０ｍｍの範囲で形成され、前記近用部は、幅０．３〜２．０ｍｍの範囲で形成され、近用補助部は、幅０．５〜２．０ｍｍの範囲で形成される
請求項１〜３のいずれかに記載の累進多焦点コンタクトレンズ。
【請求項５】
前記遠用部は直径２ｍｍで形成され、前記移行部は幅０．８ｍｍで形成され、前記近用部は幅０．６ｍｍで形成され、近用補助部は幅１．６ｍｍで形成される
請求項１〜３のいずれかに記載の累進多焦点コンタクトレンズ。
【請求項６】
前記網膜上における球面収差の変化量は、光線入射高が０〜１．５ｍｍの範囲において０．３ｍｍ以下とされ、光線入射高が２．５〜３．５ｍｍの範囲において０．５ｍｍ以下とされている
請求項１〜５のいずれかに記載の累進多焦点コンタクトレンズ。
【請求項７】
前記近用部と近用補助部の度数の戻りが、近用度数のピーク値から光学部外周にかけて、０．２５〜５．００Ｄの間で減少させることにより、明瞭な近用の像を得られる
請求項１〜６のいずれかに記載の累進多焦点コンタクトレンズ。
【請求項８】
前記近用補助部で減少される度数の減少幅は、前記移行部で増加される度数の増加幅よりも小さい
請求項１〜７のいずれかに記載の累進多焦点コンタクトレンズ。
【請求項９】
ハイドロゲルまたはシリコーンハイドロゲルをレンズ素材として用いたことを特徴とする請求項１〜８のいずれかに記載の累進多焦点コンタクトレンズ。
【発明の詳細な説明】
【技術分野】
【０００１】
本発明は、コンタクトレンズに関し、特に遠近両用の累進多焦点（マルチフォーカル）コンタクトレンズに関する。
【背景技術】
【０００２】
従来、老眼用コンタクトレンズとして用いられる累進多焦点コンタクトレンズでは、一つの光学部に、遠方を見るための遠用部と近方を見るための近用部とが配置されている（特許文献１、２）。図１１に、従来の累進多焦点コンタクトレンズの構成を示す。図１１に示すように、従来の累進多焦点コンタクトレンズ１０では、レンズ光学部１１の中心部から外周にかけて遠用部１２、近用部１４が同心円状に形成されており、遠用部１２及び近用部１４の間には遠用部１２から近用部１４へ度数を連続的に変化させるための移行部１３が形成されている。
【０００３】
図１２は、図１１の累進多焦点コンタクトレンズ１０のＢ−Ｂ軸上における度数分布図である。従来の累進多焦点コンタクトレンズ１０では、レンズ光学部１１の中心から所定の位置まで形成される遠用部１２にて遠用度数が付され、移行部１３にて近用部１４に向けて遠用度数から連続的に度数が増加し、そして、近用部１４にて所望の近用度数が付され、レンズ光学部１１の周縁にかけてほぼ一定の度数となるように構成されている。このような累進多焦点コンタクトレンズ１０を装用すると、移行部１３の度数が滑らかに変化しているため、レンズ光学部１１という狭い範囲内に遠用領域および近用領域を割り当てても、遠用及び近用の像が良好となり得る。
【先行技術文献】
【特許文献】
【０００４】
【特許文献１】特開２００２−１３１７０５号公報
【特許文献２】特開平０５−１８１０９６号公報
【発明の概要】
【発明が解決しようとする課題】
【０００５】
ところで、人眼は、図１３Ａに示したように角膜と水晶体の二枚のレンズから構成されている。したがって、累進多焦点コンタクトレンズ１０と角膜と水晶体を合わせた状態で人眼の網膜上に遠用及び近用の二つの焦点が形成されるようにコンタクトレンズの設計を行う必要がある。例えば、人眼による実測データや模型眼のデータにより、人眼には球面収差が存在することが知られている。図１３Ａに模型眼（人眼）の構成を示し、図１３Ｂに、Koomen et al.(1949)、Invanoff(1953)、Jenkins(1963)による人眼の球面収差の実測データと、Navarroによる模型眼の球面収差の測定データを示す。図１３Ｂの縦軸は光線入射高を示し、横軸は縦方向の球面収差を示す。
【０００６】
なお、Koomen、Invanoff、Jenkinsの実測データは、H.L.Liou and N.A.Brennan,
”The prediction of spherical aberration with schematic eyes”,
Ophthal.Phyisiol.Opt.Vol.16.No.4,pp.348-354,1996に記載されている。また、Navarroの測定データは、R.Navarro,J-Santamaria,J.Bescos”Accommondation-dependent model
of the human eye with aspherics”Vol.2,No8/August 1985/J.Opt.Soc.Am.A)に記載されている。
【０００７】
図１３Ａの一点鎖線Ｓで示す位置は、模型眼（人眼）の光学部中心である。図１３Ｂの縦軸である光線入射高は、人眼に入射する平行光線の光学部中心からの高さである。図１３Ｂに示すように、模型眼を用いた測定データ、及び人眼を用いた実測データから、光線入射高が高くなるにつれて球面収差が大きくなることがわかる。すなわち、人眼の光学部中心領域と周辺領域では度数が異なり、光学部中心よりも周辺領域の方が度数は大きく、人眼そのものが中心部遠用、周辺部近用の累進多焦点レンズとなっている。
【０００８】
この人眼に、前述した従来の累進多焦点コンタクトレンズ１０を装用させると、特に近用部においてコンタクトレンズと人眼の累進レンズが重なり、コンタクトレンズの効果がくずれ、この結果、近用の像が不明瞭となるという問題があることがわかった。これは従来の累進多焦点コンタクトレンズ１０が、角膜から離して使用する眼鏡のように考えて設計されていたためである。
【０００９】
上述の点に鑑み、本発明は、人眼にコンタクトレンズを装用させた状態において、人眼の網膜上に遠用及び近用の二焦点が形成されるように設計された累進多焦点コンタクトレンズを得ることを目的とする。もしくは、コンタクトレンズと角膜を合わせた状態で人眼の網膜上に遠近の二焦点が形成されるように設計された累進多焦点コンタクトレンズを得ることを目的とする。
【課題を解決するための手段】
【００１０】
上記課題を解決し、本発明の目的を達成するため、本発明の累進多焦点コンタクトレンズは、度数の異なる領域が同心円状に配置されたレンズ光学部を有する。そして、レンズ光学部は、中心から遠用部、移行部、近用部、近用補助部を有する。遠用部は、レンズ光学部中心に配置され、遠方を見るための領域である。移行部は、遠用部の外周に配置され、遠用部の度数から連続して増加する度数分布を有する。近用部は、移行部の外周に配置され、近方を見るための領域である。近用補助部は、近用部の外周に配置され、近用部の度数から連続して減少する度数分布を有する。そして、この近用補助部は、近用の像を明瞭に得るために設けられている。
【００１１】
本発明の累進多焦点コンタクトレンズでは、近用部の外側に近用補助部が形成されることにより、近用の焦点について網膜上における球面収差の変化量が低減され、人眼そのものの度数の影響が緩和される。なお、中央に遠用部が形成されることにより、遠用の焦点について網膜上における球面収差の変化量が小さいことは言うまでもない。
【発明の効果】
【００１２】
本発明の累進多焦点コンタクトレンズによれば、従来よりも優れた近用の焦点が網膜上に形成されるため、遠方と近方の両方を明瞭に見ることが可能となる。
【図面の簡単な説明】
【００１３】
【図１】図１は、本発明の一実施形態に係る累進多焦点コンタクトレンズの構成を示す図である。
【図２】図２は、本発明の一実施形態に係る累進多焦点コンタクトレンズのレンズ光学部の構成を示す図である。
【図３】図３は、図２のレンズ光学部のＡ−Ａ軸上における度数分布を示す図である。
【図４】図４は、実施例１のレンズ光学部における度数分布を示す図である。
【図５】図５は、実施例１の累進多焦点コンタクトレンズをナバロの模型眼に装用させた場合の模型眼の網膜上の縦の球面収差を示した図である。
【図６】図６は、実施例２のレンズ光学部における度数分布を示す図である。
【図７】図７は、実施例２の累進多焦点コンタクトレンズをナバロの模型眼に装用させた場合の模型眼の網膜上の縦の球面収差を示した図である。
【図８】図８は、実施例３のレンズ光学部における度数分布を示す図である。
【図９】図９は、実施例４のレンズ光学部における度数分布を示す図である。
【図１０】図１０は、実施例５のレンズ光学部における度数分布を示す図である。
【図１１】図１１は、従来の累進多焦点コンタクトレンズのレンズ光学部の構成を示す図である。
【図１２】図１２は、図１１のレンズ光学部のＢ−Ｂ軸上における度数分布を示す図である。
【図１３】図１３Ａは、模型眼（人眼）の構成を示した図であり、図１３Ｂは、Koomen et al.(1949)、Invanoff(1953)、Jenkins(1963)による人眼の球面収差の実測データと、Navarroによる模型眼の球面収差の計算データを示した図である。
【図１４】図１４は、模型眼に累進多焦点コンタクトレンズを装用させた状態の断面における構成を示す図である。
【図１５】図１５は、従来の累進多焦点コンタクトレンズを模型眼に装用した状態において模型眼の網膜面上の縦の球面収差を示した図である。
【発明を実施するための形態】
【００１４】
以下に、本発明の実施形態に係る累進多焦点コンタクトレンズの一例を、図を参照しながら説明する。なお、本発明は以下の例に限定されるものではない。
【００１５】
まず、本発明の実施形態を説明する前に、図１１に示した従来の累進多焦点コンタクトレンズ１０を人眼の代わりにナバロの模型眼に装用させた場合の球面収差について説明する。図１４は、模型眼に累進多焦点コンタクトレンズ１０を装用させた状態を示す断面構成図であり、図１５は、図１４の状態における模型眼の網膜面上の縦の球面収差を示した図である。図１５の縦軸は光線入射高（ｍｍ）であり、横軸は球面収差（ｍｍ）である。
【００１６】
累進多焦点コンタクトレンズ１０は、図１１、図１４に示したように、遠用部１２の中心が瞳の中心となるように模型眼に装用するものとする。図１５からわかるように、瞳の中心に入射する光は網膜上に遠用部１２の焦点を形成するが、光線入射高が高くなると球面収差量の絶対値が単調に増加する。このため、累進多焦点コンタクトレンズ１０の近用部１４で形成される焦点位置が不明となってしまう。すなわち、従来の累進多焦点コンタクトレンズ１０では、遠用は明瞭となるものの、近用は不明瞭な像しか得られないことが予想される。
【００１７】
従来の累進多焦点コンタクトレンズ１０において、近用で不明瞭な像となる理由は、人眼そのものの球面収差に起因する。図１３Ｂに示すように、人眼の中心領域の球面収差は小さい。このため、遠用部１２を介して人眼に入射する光は人眼そのものの球面収差の影響をあまり受けない。この結果、遠用部１２の度数（屈折力）によって網膜上に焦点が形成される。
【００１８】
一方、人眼の光学部周辺領域では周辺に行くにしたがって度数が大きくなるため、図１３Ｂに示すように、人眼の光学部周辺領域の球面収差は大きい。このため、近用部１４を介して人眼に入射する光は近用部１４の度数と人眼そのもの度数の両方の影響を受けるため、焦点位置が不明瞭となる。
以下、本発明の累進多焦点コンタクトレンズの実施形態として、人眼に装用した際に、遠用と近用の２つの焦点が形成される例について説明する。
【００１９】
〈累進多焦点コンタクトレンズ〉
図１に、本発明の一実施形態に係る累進多焦点コンタクトレンズの概略構成を示し、図２に、累進多焦点コンタクトレンズの光学部の概略構成を示す。累進多焦点コンタクトレンズ１は、図１に示すように、中心から順に、レンズ光学部２、周辺部７、エッジ部８が同心円状に形成されており、レンズ光学部２が、所定の屈折度数を有するように構成されている。累進多焦点コンタクトレンズ１を人眼に装用した場合は、レンズ光学部２を介して入射した光が網膜上に焦点を結ぶ。
【００２０】
本実施形態例の累進多焦点コンタクトレンズ１は、直径φ８〜１５ｍｍの円盤状の部材で構成され、装用面（人眼に装着する側の面）が凹状とされている。ハードコンタクトレンズの直径はφ８〜１０ｍｍであり、ソフトコンタクトレンズの直径はφ１３〜１５ｍｍである。また、レンズ光学部２は、直径φ６〜１０ｍｍの円盤状の部材で構成され、ハードコンタクトレンズの直径はφ６〜７ｍｍであり、ソフトコンタクトレンズの直径はφ６〜１０ｍｍである。なお、本実施形態例の累進多焦点コンタクトレンズ１は、図１に示すように、円盤状の形状を示すが、この形状に限らず例えば、楕円形等の非円盤状に置き換えることも可能である。
【００２１】
累進多焦点コンタクトレンズ１の材料としては、一般的なハードコンタクトレンズ、ソフトコンタクトレンズと同様の材料を用いることができ、何等限定されるものでなく、非ガス透過性のＰＭＭＡ（ポリメタクリル酸メチル）等の他、シリコン／アクリレート系共重合体などのガス透過性（ＲＧＰ）等からなるハードコンタクトレンズとして公知の各種材料、ＰＨＥＭＡ（ポリヒドロキシエチルメタクリレート）やＰＶＰ（ポリビニルピロリドン）等の含水性材料や酸素透過性を向上させるためにシリコーン含有モノマーやシロキサンマクロマーを主成分とするシリコーンハイドロゲルコンタクトレンズとして公知の各材料であっても良い。
【００２２】
累進多焦点コンタクトレンズ１のレンズ光学部２では、中心から順に遠用部３、移行部４、近用部５、及び近用補助部６が同心円状に形成されている。図３に、図２の累進多焦点コンタクトレンズ１のＡ−Ａ軸上における度数分布を示す。図３の縦軸は度数（Ｄ）であり、横軸はレンズ光学部中心からの距離（ｍｍ）である。また、縦軸は基準（０点）を目的とする遠用度数としている。なお、縦軸は加入度数と読み替えても良い。
【００２３】
累進多焦点コンタクトレンズ１では、遠用部３を介して人眼に入射する光線は遠用部３に付された度数によって人眼の網膜に焦点として形成される。これによって、遠用の像を明瞭に見ることができる。
【００２４】
遠用部３は、遠方を見る際に用いられる領域であり、レンズ光学部２の中心に円状に形成されている。遠用部３の径が０．５ｍｍよりも小さいと、明瞭な遠用の像が得られないという問題があり、３．５ｍｍよりも大きいと近用の領域を瞳孔内に確保できないという問題がある。したがって遠用部３は、中心から半径０．５〜３．５ｍｍの円状に形成されることが好ましい。なお、瞳孔径は、φ２〜８ｍｍで、普段はφ３〜４ｍｍ程度である。
【００２５】
遠用部３においては、遠方を見る場合に明瞭な視界を得ることができる所望の屈折度数（遠用度数）が付されている。この遠用度数は、通常のコンタクトレンズにおける遠用度数と同様にして処方される度数である。
【００２６】
遠用の場合、光線入射高が０〜１．５ｍｍの範囲における球面収差の最大値と最小値の差（球面収差の変化量）が０．３ｍｍ以内に収まるように、遠用部３の度数を設計することが好ましい。これにより、レンズ光学部２と人眼とを合わせた状態で遠用の焦点について球面収差の変化量が低減され、遠用の視界が明瞭となる。
【００２７】
移行部４は、遠用部３と近用部５との度数を滑らかに変化させる領域であり、遠用部３の外周に所定の幅を有して形成されている。移行部４の幅が０．５ｍｍよりも小さいと急激な度数変化となり、像がダブりやすいという問題があり、２ｍｍよりも大きいと瞳孔内に遠用部３及び近用部５の領域を確保できないという問題がある。したがって、移行部４の幅は、０．５〜２ｍｍの幅で形成されることが好ましい。
【００２８】
近用部５は、近方を見る際に用いられる領域であり、移行部４の外周に所定の幅を有して形成されている。近用部５の幅が０．３ｍｍよりも小さいと明瞭な近用の像が得られないという問題があり、２ｍｍよりも大きいと近用補助部６がレンズ光学部２からはみ出てしまうという問題がある。したがって、近用部５の幅は０．３〜２ｍｍの幅で形成されることが好ましい。
【００２９】
近用部５においては、近方を見る場合に明瞭な視界を得ることができる所望の屈折度数（近用度数）が付されている。この近用度数は、通常のコンタクトレンズにおける近用度数と同様にして処方される度数である。
【００３０】
近用補助部６は、人眼そのものの度数の影響を緩和して、近用の像をより明瞭にするための領域であり、近用部５の外周（レンズ光学部２の最外周）に所定の幅を有して形成されている。近用補助部６の幅が０．５ｍｍよりも小さいと効果的な近用補助部６とならないという問題があり、２ｍｍよりも大きいとレンズ光学部２内に納めることができないという問題がある。したがって、近用補助部６の幅は０．５ｍｍ〜２ｍｍの幅で形成されることが好ましい。
【００３１】
近用補助部６における度数は、近用度数のピーク値から光学部外周にかけて０．２５〜５．００Ｄの間で減少するように構成されることが好ましい。近用補助部６における度数の減少量を０．２５〜５．００Ｄとすることにより、近用の像をより明瞭にする効果を有する。
【００３２】
図３に示すように、累進多焦点コンタクトレンズ１のレンズ光学部２において、移行部４、近用部５、及び近用補助部６を合わせた領域が凸形を示すように構成されている。すなわち、本実施形態例では、従来の累進多焦点コンタクトレンズ１０に比較し、近用部５で加えられた度数を減じる領域（近用補助部６）が近用部５の外周に形成される。本発明の特徴は、より効果的な近用領域を設けるために、近用部５の外周に近用度数を減じる領域を設けたことである。なお、近用部５と近用補助部６とを合わせて近用部と表記しても構わない。
【００３３】
累進多焦点コンタクトレンズ１では、近用部５及び近用補助部６を介して入射した光も網膜上に焦点を形成する。つまり、近用度数を減じる近用補助部６を近用部５の外側に設けたことにより、人眼の光学部周辺領域が人眼の光学部中心領域に比べて度数が大きいことに起因した人眼そのものの度数の影響が緩和され、近用における球面収差の変化量が低減し、人眼の網膜に近用の焦点が形成される。こうして、近用の像の明瞭さが向上する。
【００３４】
近用の場合、光線入射高が２．５〜３．５ｍｍの範囲における球面収差の最大値と最小値の差（球面収差の変化量）が０．５ｍｍ以内に収まるように、近用部５及び近用補助部６の度数が設計されることが好ましい。これにより、レンズ光学部２と人眼を合わせた状態で近用の焦点について網膜面上における球面収差の変化量が低減され、近用の像が明瞭となる。
【００３５】
近用補助部６においては、近用部５における近用度数が連続的に減少する第１領域６ａと、第１領域６ａにおいて減少された度数から再び度数を増加させる第２領域６ｂとが構成されている。図１３Ｂからわかるように、実際の人眼とナバロの模型眼とを比べると、光線入射高が高い位置における球面収差の変化が小さい例がある。つまり、近用部５において加わった度数を減じすぎると、レンズ光学部２の最外周の領域（近用補助部６）を介して入射した光線は網膜上に焦点として形成されず、視界が不明瞭になるおそれがある。そこで、本実施形態例では、第１領域６ａで減少した度数をレンズ光学部２の最外周の領域（第２領域６ｂ）において再度増加している。
【００３６】
なお、第１領域６ａにおける度数の減少量や第２領域６ｂにおける度数の増加量は、種々の変更が可能である。また、近用補助部６は、第１領域６ａで減じられた度数を再度増加させる第２領域６ｂを設けたが、近用部５で加えられた度数を減じる領域が構成されればよく、近用補助部６は第１領域６ａのみであってもよい。すなわち、移行部４、近用部５、及び近用補助部６において、度数がプラス側に凸形状となるような度数分布を有するように構成することにより、近用の像の鮮明さが向上する。
【００３７】
このように、本実施形態例の累進多焦点コンタクトレンズ１では、人眼の度数を考慮した度数設計がなされている。このため、遠用及び近用の二焦点が網膜上に形成され、遠方及び近方を明瞭に見ることが可能となる。
以下に、本実施形態例の累進多焦点コンタクトレンズ１の具体的な例を示す。
【００３８】
［実施例１］
実施例１に係る累進多焦点コンタクトレンズについて説明する。実施例１に係る累進多焦点コンタクトレンズの概略構成は、図２と同様であるから図示を省略する。実施例１では、図２の遠用部３の直径が約２ｍｍ、移行部４の幅が約０．８ｍｍ、近用部５の幅が約０．６ｍｍ、近用補助部６の幅が約１．６ｍｍに設計されている。また、実施例１の累進多焦点レンズの性能を決定するパラメータは以下の通りである。
ベースカーブ（ＢＣ）：７．７５（ｍｍ）
パワー（遠用度数）：０．００（Ｄ）
加入度数（Ａｄｄ）：＋２．００（Ｄ）
中心肉厚（ＣＴ）：０．１５（ｍｍ）
屈折率（Ｎ）：１．４４
【００３９】
図４に、実施例１の累進多焦点コンタクトレンズにおける度数分布（図２のＡ−Ａ軸上に対応）を示す。実施例１では、縦軸を度数（Ｄ）として示し、横軸に光学部中心からの距離（ｍｍ）を示す。なお、実施例１は遠用度数が０．００Ｄであるため、縦軸を加入度数と読みかえても良い。
【００４０】
遠用部３における度数分布は、遠用度数０．００Ｄのほぼ一定の値とされ、近用部５における度数分布は、ピーク値が約＋２．００Ｄ（加入度数に相当）となるように構成される。移行部４における度数分布は、遠用度数から加入度数に至るまで滑らかに増加する。
【００４１】
第１領域６ａにおける度数分布は、遠用度数０．００Ｄを下回るまで減少し、第２領域６ｂにおいて遠用度数と同じ度数（つまり、０．００Ｄ）となるまで度数を連続的に増加させる構成としている。このような構成とすることにより、実施例１における累進多焦点コンタクトレンズの度数分布は、移行部４、近用部５、及び近用補助部６を合わせた領域において、上（度数プラス方向）に凸形状を有す。
【００４２】
実施例１の累進多焦点コンタクトレンズを図１４と同様にナバロの模型眼に装用させ、模型眼の網膜上の縦の球面収差を調べた。なお、模型眼として使用したナバロの模型眼のパラメータを表１に示す。
【００４３】
【表１】
2012093522.tif 000003
【００４４】
図５に、実施例１の累進多焦点コンタクトレンズをナバロの模型眼に装用させた場合の模型眼の網膜上における縦の球面収差を示す。図５の縦軸は、図１４の一点鎖線Ｓで示す模型眼の光学部中心に対する光線入射高（ｍｍ）であり、横軸は球面収差（ｍｍ）である。
【００４５】
図５の破線で囲む領域ａに示すように、遠用部３に対応する光線入射高０〜１ｍｍの間においては球面収差の変化量が低減され、遠用における焦点が形成される。また、破線で囲む領域ｂに示すように、近用部５と近用補助部６との間の領域に対応する光線入射高２〜３ｍｍの間において特に球面収差の変化量が低減され、近用における焦点が形成される。これにより、実施例１の累進多焦点コンタクトレンズを装用した場合には、遠用のみならず近用においても明瞭な像が得られる。
【００４６】
なお、実施例１では、近用補助部６において、近用部５から度数が減少するように構成された第１領域６ａの外周に、再度度数が増加する第２領域６ｂを構成する例とした。
【００４７】
［実施例２］
実施例２に係る累進多焦点コンタクトレンズについて説明する。実施例２に係る累進多焦点コンタクトレンズの概略構成は、図２と同様であるから図示を省略する。実施例２では、図２の遠用部３の直径が約２．４ｍｍ、移行部４の幅が約０．６ｍｍ、近用部５の幅が約０．６ｍｍ、近用補助部６の幅が約１．６ｍｍに設計されている。また、実施例２の累進多焦点コンタクトレンズの性能を決定するパラメータは以下の通りである。
ベースカーブ（ＢＣ）：７．７５（ｍｍ）
パワー（遠用度数）：０．００（Ｄ）
加入度数（Ａｄｄ）：＋１．００（Ｄ）
中心肉厚（ＣＴ）：０．１５（ｍｍ）
屈折率（Ｎ）：１．４４
【００４８】
図６に、実施例２の累進多焦点コンタクトレンズにおける度数分布（図２のＡ−Ａ軸上に対応）を示す。縦軸および横軸は上述の実施例１と同様である。なお、実施例２は遠用度数が０．００Ｄであるため、縦軸を加入度数と読みかえても良い。
【００４９】
遠用部３における度数分布は、遠用度数が０．００Ｄとほぼ一定の値とされ、近用部５における度数分布は、ピーク値が約＋１．００Ｄ（加入度数に相当）となるように構成される。移行部４の度数分布は、遠用度数から近用度数に至るまで滑らかに増加する。
【００５０】
近用補助部６の度数分布は、近用部５の近用度数から滑らかに減少し、最終的に遠用度数よりも低い度数まで減少する。実施例２は、実施例１に比較して加入度数が小さく、近用補助部６において、再度度数を増加させる領域（実施例１の第２領域６ｂに相当）が構成されない例である。このような構成とすることにより、実施例２における累進多焦点コンタクトレンズの度数分布は、移行部４、近用部５、及び近用補助部６を合わせた領域において、上に凸形状を有す。
【００５１】
実施例２の累進多焦点コンタクトレンズをナバロの模型眼に装用させ、模型眼の網膜上における縦の球面収差を図７のとおり示す。縦軸および横軸は上述の図５と同様である。図７の破線で囲む領域ａに示すように、遠用部３に対応する光線入射高０〜１ｍｍの間において球面収差の変化量が低減され、遠用における焦点が形成される。また、破線で囲む領域ｂに示すように、近用部５と近用補助部６との間の領域に対応する光線入射高２．５〜３．５ｍｍの間において球面収差の変化量が低減され、近用部５の焦点が形成される。
【００５２】
［実施例３］
実施例３に係る累進多焦点コンタクトレンズについて説明する。実施例３に係る累進多焦点コンタクトレンズの概略構成は、図２と同様であるから図示を省略する。実施例３では、図２の遠用部３の直径が約２．４ｍｍ、移行部４の幅が約０．７ｍｍ、近用部５の幅が約０．６ｍｍ、近用補助部６の幅が約１．５ｍｍに設計されている。また、実施例３の累進多焦点コンタクトレンズの性能を決定するパラメータは以下の通りである。
ベースカーブ（ＢＣ）：８．００（ｍｍ）
パワー（遠用度数）：−３．００（Ｄ）
加入度数（Ａｄｄ）：＋１．５０（Ｄ）
中心肉厚（ＣＴ）：０．１５（ｍｍ）
屈折率（Ｎ）：１．４４
【００５３】
図８に、実施例３の累進多焦点コンタクトレンズにおける度数分布（図２のＡ−Ａ軸上に対応）を示す。縦軸および横軸は上述の実施例１と同様である。遠用部３における度数分布は、遠用度数が−３．００Ｄとほぼ一定の値とされ、近用部５における度数分布は、ピーク値が−１．５０Ｄ（加入度数＋１．５０Ｄに相当）となるように構成される。移行部４は、遠用度数から近用度数に至るまで連続的に度数が増加する。
【００５４】
近用補助部６の度数分布は、近用部５における近用度数（−１．５０Ｄ）から滑らかに−２．５０Ｄまで減少する。このような構成とすることにより、実施例３における累進多焦点コンタクトレンズの度数分布は、移行部４、近用部５、及び近用補助部６を合わせた領域において、上（度数プラス側）に凸形状を有す。なお、過去の研究では、人眼の球面収差はナバロの模型眼よりも小さいことが知られている。このため、実施例３では、人眼の球面収差を考慮し、実施例１及び実施例２よりも、近用補助部６で度数を減じる量を小さくしている。この場合においても、近用補助部６の加入度数が小さいため、近用における網膜上の球面収差の変化量が小さくなることが予想される。
【００５５】
［実施例４］
実施例４に係る累進多焦点コンタクトレンズについて説明する。実施例４に係る累進多焦点コンタクトレンズの概略構成は、図２と同様であるから図示を省略する。実施例４では、図２の遠用部３の直径が約２．２ｍｍ、移行部４の幅が約１．２ｍｍ、近用部５の幅が約１ｍｍ、近用補助部６の幅が約０．７ｍｍに設計されている。また、実施例４の累進多焦点コンタクトレンズの性能を決定するパラメータは以下の通りである。
ベースカーブ（ＢＣ）：７．７５（ｍｍ）
パワー（遠用度数）：０．００（Ｄ）
加入度数（Ａｄｄ）：＋２．００（Ｄ）
中心肉厚（ＣＴ）：０．１５（ｍｍ）
屈折率（Ｎ）：１．４４
【００５６】
図９に、実施例４の累進多焦点コンタクトレンズにおける度数分布（図２のＡ−Ａ軸上に対応）を示す。縦軸および横軸は上述の実施例１と同様である。遠用部３における度数分布は、中央部において正側に凸形状とされ、近用部５における度数分布は、ピーク値が＋２．００Ｄ（加入度数＋２．００Ｄに相当）となるように構成される。移行部４は、遠用度数から近用度数に至るまで連続的に度数が増加する。遠用部３の度数分布が中央部において正側に凸形状を有するように形成されているため、遠用における網膜上の球面収差の変化量を小さくすることができ、遠用の像をより明瞭に見ることができる。
【００５７】
近用補助部６の度数分布は、近用部５における近用度数（＋２．００Ｄ）から滑らかに減少するが、最終的に遠用度数よりも高い度数で留まる。実施例４は、実施例１〜３と比べ近用補助部６における加入度数の減少量は小さく、近用補助部６において、再度度数を増加させる領域（実施例１の第２領域６ｂに相当）が構成されていない例である。このような構成とすることにより、実施例４における累進多焦点コンタクトレンズの度数分布は、移行部４、近用部５、及び近用補助部６を合わせた領域において、上（度数プラス側）に凸形状を有す。また、近用補助部６における加入度数が小さいため、近用における網膜上の球面収差の変化量が小さくなることが予想される。
【００５８】
［実施例５］
実施例５に係る累進多焦点コンタクトレンズについて説明する。実施例５に係る累進多焦点コンタクトレンズの概略構成は、図２と同様であるから図示を省略する。実施例５では、図２の遠用部３の直径が約１．６ｍｍ、移行部４の幅が約１．１ｍｍ、近用部５の幅が約１ｍｍ、近用補助部６の幅が約１．１ｍｍに設計されている。また、実施例５の累進多焦点コンタクトレンズの性能を決定するパラメータは以下の通りである。
ベースカーブ（ＢＣ）：７．７５（ｍｍ）
パワー（遠用度数）：０．００（Ｄ）
加入度数（Ａｄｄ）：＋２．００（Ｄ）
中心肉厚（ＣＴ）：０．１５（ｍｍ）
屈折率（Ｎ）：１．４４
【００５９】
図１０に、実施例５の累進多焦点コンタクトレンズにおける度数分布（図２のＡ−Ａ軸上に対応）を示す。縦軸および横軸は上述の実施例１と同様である。遠用部３における度数分布は、中央部で０Ｄとされ、近用部５における度数分布は、ピーク値が＋２．００Ｄ（加入度数＋２．００Ｄに相当）となるように構成される。移行部４は、遠用度数から近用度数に至るまで連続的に度数が増加する。
【００６０】
近用補助部６の度数分布は、近用部５における近用度数（＋２．００Ｄ）から連続的に減少するが、最終的に遠用度数よりも高い度数で留まる。実施例５は、近用補助部６において、再度度数を増加させる領域（実施例１の第２領域６ｂに相当）が構成されていない例である。実施例５における近用補助部６の減少量は、実施例１〜３に比べ小さいが実施例４と比べ大きい。このような構成とすることにより、実施例５における累進多焦点コンタクトレンズの度数分布は、移行部４、近用部５、及び近用補助部６を合わせた領域において、上（度数プラス側）に凸形状を有する。この場合においても、近用補助部６の加入度数が小さいため、近用における網膜上の球面収差の変化量が小さくなることが予想される。
【符号の説明】
【００６１】
１・・・累進多焦点コンタクトレンズ、２・・・レンズ光学部、３・・・遠用部、４・・・移行部、５・・・近用部、６・・・近用補助部
【図３】
2012093522.tif 000004
【図４】
2012093522.tif 000005
【図５】
2012093522.tif 000006
【図６】
2012093522.tif 000007
【図７】
2012093522.tif 000008
【図８】
2012093522.tif 000009
【図９】
2012093522.tif 000010
【図１０】
2012093522.tif 000011
【図１２】
2012093522.tif 000012
【図１３】
2012093522.tif 000013
【図１４】
2012093522.tif 000014
【図１５】
2012093522.tif 000015
【図１】
2012093522.tif 000016
【図２】
2012093522.tif 000017
【図１１】
2012093522.tif 000018